(57)【要約】【課題】帽子の外観形状を変更させて異なる帽子として使用できる多機能性帽子を提供する。【解決手段】半球状の帽子本体１やサンバイザー６のような基本の外観形状の帽子を一体化してスポーツ帽子１０に変更させたり、帽子本体１に環状つば８を取付けて一体化してつば付き帽子１１に変更させたりしてスポーツ帽子１０、つば付き帽子１１として使用できるようにした。【選択図】　図１
0003097155.tif 000002
【実用新案登録請求の範囲】
【請求項１】
第１ファスナテープの側端部にファスナ務歯が複数配設されるとともにスライダがファスナー務歯に沿って摺動可能に嵌装される第１ファスナチェーンを下縁全周に取付けた帽子本体と、前記第１ファスナチェーンのファスナ務歯とかみ合うファスナ務歯が第２ファスナテープの側端部に複数配設される第２ファスナチェーンを上縁全周に取付けた帯状体にひさしが取付けられたサンバイザーと、前記両ファスナチェーンと同様の形態の第３ファスナチェーンを上縁全周に取付けた環状つばとを組合せたことを特徴とする多機能性帽子。
【請求項２】
サンバイザーの第２ファスナチェーンに前記スライダを嵌装させて第２ファスナチェーンと第１ファスナチェーンを着脱可能に接合して前記帽子本体を前記サンバイザーと一体化してスポーツ帽子を構成したことを特徴とする請求項１記載の多機能性帽子。
【請求項３】
環状つばの第３ファスナチェーンに前記スライダを嵌装させて第３ファスナチェーンと第１ファスナチェーンを着脱可能に接合して前記帽子本体に前記環状つばを取付けてつば付き帽子を構成したことを特徴とする請求項１記載の多機能性帽子。
【考案の詳細な説明】
【０００１】
【考案の属する技術分野】
本考案は帽子の基本の外観形状を他の外観形状に変更して使用できる多機能性帽子に関する。
【０００２】
【従来の技術】
このような多機能性帽子としては、日除け用としての本来の使い方以外に、大小２種類の巾着としても使える帽子が知られている。（例えば特許文献１参照）
【０００３】
【特許文献１】
実公平８−３３４号公報
【０００４】
上記特許文献１（実開平４−６９４１６号公報）に記載された帽子は、基本の外観形状は頭部にかぶるクラウンの下縁全周にブリム（つば）を縫着した布製の帽子である。そのクラウンはクラウン胴部とクラウン頂部との２部から構成し、該クラウン胴部とクラウン頂部の下端縁全周に亘って係脱自在となす係脱手段を設け、該係脱手段により上記下端縁同志が結合された状態でクラウン胴部は内部で二つ折されているが、係脱手段の結合を解くことで、該二つ折されていた個所を真っ直ぐ延ばすことができるようになすと共に、上記クラウンとブリムの連結個所を絞ることができる緊縛体を装着したものである。この帽子は、係脱手段により下端縁同志が結合されて、クラウン胴部が内部で二つ折されている状態において、頭部にかぶるクラウンの下縁全周にプリムを縫着した帽子であり、クラウンとプリムの連結個所を絞ることで小さな容量の巾着としての使用が可能である。また、係脱手段の結合を解くことで二つ折されていた個所（クラウン胴部）を真っ直ぐ延ばすと大きな容量の巾着としての使用が可能となる。
【０００５】
【考案が解決しようとする課題】
上記特許文献１に記載された帽子は、基本の外観形状を他の形状に変更させて巾着としても使えるが、帽子としての機能は損なわれてしまう。ところが、基本の外観形状を他の形状に変更させたときにも帽子として使用したいという要求があり改善が望まれていた。
【０００６】
本考案は、基本の外観形状の帽子を他の形状に変更させても外観形状の異なる帽子として使用できる多機能性帽子を提供するものである。
【０００７】
【課題を解決するための手段】
上記目的を達成するため、請求項１記載の考案は、第１ファスナテープの側端部にファスナ務歯が複数配設されるとともにスライダがファスナー務歯に沿って摺動可能に嵌装される第１ファスナチェーンを下縁全周に取付けた帽子本体と、前記第１ファスナチェーンのファスナ務歯とかみ合うファスナ務歯が第２ファスナテープの側端部に複数配設される第２ファスナチェーンを上縁全周に取付けた帯状体にひさしが取付けられたサンバイザーと、前記両ファスナチェーンと同様の形態の第３ファスナチェーンを上縁全周に取付けた環状つばとを組合せたことを特徴とする多機能性帽子である。
【０００８】
また、請求項２記載の考案は、サンバイザーの第２ファスナチェーンに前記スライダを嵌装させて第２ファスナチェーンと第１ファスナチェーンを着脱可能に接合して前記帽子本体を前記サンバイザーと一体化してスポーツ帽子を構成したことを特徴とする請求項１記載の多機能性帽子である。
【０００９】
また、請求項３記載の考案は、環状つばの第３ファスナチェーンに前記スライダを嵌装させて第３ファスナチェーンと第１ファスナチェーンを着脱可能に接合して前記帽子本体に前記環状つばを取付けてつば付き帽子を構成したことを特徴とする請求項１記載の多機能性帽子である。
【００１０】
【考案の実施の形態】
以下、本考案の実施の形態を図面を参照して説明する。図１（ａ）は帽子本体の斜視図、図１（ｂ）はサンバイザーの斜視図、図１（ｃ）は環状つばの斜視図、図２は帽子本体とサンバイザーとの一体化を説明するための斜視図、図３は帽子本体に環状つばを取付けたつば付き帽子の斜視図である。
【００１１】
図１（ａ）に示す帽子本体１は布製で外観が半球状であり、その下縁２の全周にはファスナチェーン３ａが縫い合せて取付けられている。帽子本体１は、半球状に縫い合せた１枚の布地で形成されたものでも良いし、半球状に縫い合せた布地２枚の縁を縫い合せて表裏の生地が別の布地で形成されたもの、又は球状に縫い合せた１枚の布地で形成されたものを２つに折り返して半球状に形成されたものでも良い。ファスナチェーン３ａは、ファスナテープ４の側端部に複数のファスナ務歯４ａ，４ａ，…が取付けられて配設されたものである。また、ファスナチェーン３ａにはスライダ５が嵌装されており、スライダ５の引手５ａを操作することでファスナー務歯４ａ，４ａ，…に沿ってスライダ５が摺動可能である。
【００１２】
図１（ｂ）に示すサンバイザー６は布製で、環状の帯状体６ａの前方の部分にひさし６ｂが取付けられ、帯状体６ａでひさし６ｂを頭部に取付けるものである。帯状体６ａの後方には、帯状体６ａの環の大きさを調整するためのコード（ひも）７と、コード７を調整した長さに係止するコードストッパー７ａが取り付けられている。コード７はゴム等の弾性部材を使用するとよい。また、帯状体６ａの上縁６ｃの全周にはファスナチェーン３ｂが縫い合せて取付けられている。ファスナチェーン３ｂは、図１（ａ）に示すファスナチェーン３ａと略同様の形態であり、ファスナテープ４の側端部に複数のファスナ務歯４ａ，４ａ，…が取付けられて配設されたもので、ファスナチェーン３ｂにスライダ５を嵌装させてファスナチェーン３ａ、３ｂの各ファスナー務歯４ａ，４ａ，…に沿って摺動させることで、ファスナチェーン３ａ、３ｂの各ファスナ務歯４ａ，４ａ，…をかみ合わせたり外したりできる。
【００１３】
図１（ｃ）に示す布製の環状つば８の上縁９の全周にはファスナチェーン３ｃが縫い合せて取付けられている。ファスナチェーン３ｃは、図１（ａ）に示すファスナチェーン３ｂと同様の形態であり、ファスナテープ４の側端部に複数のファスナ務歯４ａ，４ａ，…が取付けられて配設されたもので、スライダ５を嵌装させてファスナチェーン３ａ、３ｂの各ファスナー務歯４ａ，４ａ，…に沿って摺動させることで、ファスナチェーン３ａ、３ｂの各ファスナ務歯４ａ，４ａ，…をかみ合わせたり外したりできる。
【００１４】
次に、図２、図３を参照して、帽子の基本の外観形状を他の外観形状に変更した多機能性帽子の例について説明する。図２の部分拡大図に示したように帽子本体１のファスナチェーン３ａは、帽子本体１の縁部で両面の布１ａ，１ａの縁部で両面の布１ａ，１ａ内に収納されて埋設した状態で、線１ｂの位置で縫い合せて取付けられている。また、サンバイザー６のファスナチェーン３ｂは、サンバイザー６の両面の布６ｄ，６ｄの縁部で両面の布６ｄ，６ｄから突出した状態で、線６ｅの位置で縫い合せて取付けられている。
【００１５】
帽子本体１のファスナチェーン３ａに嵌装されているスライダ５を、サンバイザー６のファスナチェーン３ｂに嵌装させる。そして、スライダ５をファスナチェーン３ａ、３ｂの各ファスナー務歯４ａ，４ａ，…に沿って摺動させるとファスナチェーン３ａ、３ｂの各ファスナ務歯４ａ，４ａ，…がかみ合っていき、ファスナチェーン３ａ、３ｂは並列に接合されて、帽子本体１の下縁２がサンバイザー６の帯状体６ａの上縁６ｃに接合されて、スポーツ帽子１０を形成する。この場合、帽子本体１のファスナチェーン３ａは、帽子本体１の縁部で両面の布１ｂ，１ｂ内に埋設した状態で取付けられているので、ファスナチェーン３ａ、３ｂの接合面は、布１ｂで覆われて外部からは見えにくくなっている。
【００１６】
このようにして、帽子本体１として使用されたり、サンバイザー６として使用されたりした２つの帽子は、一体化したスポーツ帽子１０に外観形状を変更されると、スポーツ帽子１０として使用することができる。このスポーツ帽子１０は、コードストッパー７ａを操作してコード７を使用者の頭部の大きさに調整した長さで係止することができ、スポーツ帽子１０を頭部にしっかりと装着することができ、帽子としての機能は維持されている。
【００１７】
次に、図３に示すように、帽子本体１のファスナチェーン３ａに嵌装されているスライダ５を、環状つば８のファスナチェーン３ｃに嵌装させる。そして、スライダ５をファスナチェーン３ａ、３ｃの各ファスナー務歯４ａ，４ａ，…に沿って摺動させるとファスナチェーン３ａ、３ｃの各ファスナ務歯４ａ，４ａ，…がかみ合っていき、ファスナチェーン３ａ、３ｃは並列に接合されて、帽子本体１の下縁２が環状つば８の上縁９に接合されて、つば付き帽子１１を形成する。この場合も、ファスナチェーン３ａ、３ｂの接合面は、帽子本体１の布１ｂで覆われて外部からは見えにくくなっている。
【００１８】
【考案の効果】
本考案の多機能性帽子によれば、半球状の帽子本体やサンバイザーのような基本の外観形状の帽子を一体化して、他の形状のスポーツ帽子に変更させたり、帽子本体に環状つばを取付けて一体化してつば付き帽子に変更させたりしても外観形状が異なるだけでなく、帽子としての機能は維持されてスポーツ帽子、つば付き帽子として使用できる。
【００１９】
したがって、半球状の帽子本体やサンバイザーを基本の外観形状の帽子としての使用だけでなく、帽子本体とサンバイザーを一体化したり、帽子本体に環状つばを取付けたりして基本の外観形状を他の形状に変更させたスポーツ帽子や、つば付き帽子に変更して使用ができるため、帽子本体やサンバイザーとして使用しているときに、日差しが強くなった時には半球状の帽子本体をつば付き帽子として使用したり、雨天になったらサンバイザーをスポーツ帽子として使用したりできる等優れた効果を奏するものである。
【図面の簡単な説明】
【図１】（ａ）は帽子本体の斜視図である。
（ｂ）はサンバイザーの斜視図である。
（ｃ）は環状つばの斜視図である。
【図２】図１（ａ）の帽子本体と図１（ｂ）のサンバイザーとの一体化を説明するための一部切欠き側面図である。
【図３】図１（ａ）の帽子本体に図１（ｃ）の環状つばを取付けたつば付き帽子の斜視図である。
【符号の説明】
１　帽子本体
１ａ，６ｄ　布
１ｂ，６ｅ　線
２　帽子本体の下縁
３ａ，３ｂ，３ｃ　ファスナチェーン
４　ファスナテープ
４ａ　ファスナ務歯
５　スライダ
５ａ　引手
６　サンバイザー
６ａ　帯状体
６ｂ　ひさし
６ｃ　帯状体の上縁
７　コード
７ａ　コードストッパー
８　環状つば
９　環状つばの上縁
１０　スポーツ帽子
１１　つば付き帽子
【図１】
0003097155.tif 000003
【図２】
0003097155.tif 000004
【図３】
0003097155.tif 000005